(57)【要約】【課題】　色選択機能を有するペン型ポインティングデバイスなどの装置に適用可能な発色器を提供する。【解決手段】　発色体としての赤ＬＥＤ４１１、緑ＬＥＤ４１２、青ＬＥＤ４１３の３種類のＬＥＤと、信号線１１を通じて伝達される色情報中の赤情報、緑情報、青情報に応じて、赤ＬＥＤ４１１、緑ＬＥＤ４１２、青ＬＥＤ４１３の光の度合いを制御する発色制御回路４１４と、入力ペンの発色面に取り付けられる半透明体４１５と、各ＬＥＤ４１１、４１２、４１３の出射光を半透明体４１５に導く光学系４１６とから構成される。半透明体４１５の裏面は、ＬＥＤ４１１〜４１３の消灯時、半透明体４１５の色を利用者に黒色と認識させるために、黒色に加工されている。【選択図】　　　図１６　
2004103042.tif 000002
【特許請求の範囲】
【請求項１】
　指定された色の光を出射する発色体と、前記発色体の出射光が側面から入射して伝播し且つ裏面が黒色の半透明体とを備えることを特徴とする発色器。
【請求項２】
　前記発色体の出射光を前記半透明体の側面に導く光学系を備えることを特徴とする請求項１記載の発色器。
【請求項３】
　前記発色体はそれぞれ異なる単色の光を出射する複数の発光素子を含むことを特徴とする請求項１記載の発色器。
【請求項４】
　一端が前記半透明体の側面に接続された１本または複数本の光ファイバと、前記複数の発光素子の出射光を前記光ファイバの他端に入射する光学レンズとを含む光学系を備えることを特徴とする請求項３記載の発色器。
【請求項５】
　外部から与えられる色情報に基づいて、前記複数の発光素子の光の度合いを制御する発色制御回路を備えることを特徴とする請求項３記載の発色器。
【請求項６】
　請求項１乃至５の何れか１項に記載された発色器を備え、前記半透明体の表面の少なくとも一部が装置外面に露出している発色機能付き装置。
【発明の詳細な説明】
【技術分野】
【０００１】
　本発明は、選択された色で装置の一部が発色する発色機能付き装置及び該装置に使用する発色器に関する。
【背景技術】
【０００２】
　図形の座標位置をコンピュータに直接入力する装置に、タッチパネルやタブレットといった座標位置検出装置があり、利用者が把持して操作する入力ペンと組み合わせて利用される。特にタブレットは、位置検出精度が高く、然も入力ペンを指先で操作できるため図形の作成など細かな操作に適している。また、タブレットとカラーＬＣＤ等の平面型カラー表示パネルを組み合わせ、直接描画している感覚でカラー図形などを入力できるペン入力機能付きカラー表示装置も提案されている（例えば特許文献１参照）。
【０００３】
　入力ペンでカラー図形などを描画する場合、どの色を使うかを事前に選択する必要がある。この選択方式には、特許文献１の従来技術の項に記載されるように、タブレット側に各色に対応する色選択スイッチを配置し、使う色に対応する色選択スイッチを入力ペンで操作する方式がある。しかし、この方式では、色選択スイッチを配置するスペース分だけタブレット上の描画スペースが小さくなってしまう。また、市販されている絵描きプログラムのように色選択時に限って選択用パレットを開くというものでは、初心者にとって色選択操作が分かり難くなってしまう。
【０００４】
　そこで、特許文献１では、そのような問題点を解消するために色選択機能を持った入力ペンを提案している。具体的には、入力ペン側に各色に対応する色選択スイッチを配置し、利用者が何れかの色選択スイッチを操作すると、そのスイッチに対応する色データを入力ペンから信号線を通じてタブレット側に通知するようにしている。
【０００５】
　他方、入力ペン側で機能選択が行える他の技術として、特許文献２に記載のペン型ポインティング装置がある。この装置では、ペン側に、回転式の切替えスイッチと、表示部と、選択スイッチとが装着されており、予め用意された複数の機能の何れかを切替えスイッチを回転させることで選択でき、また現に選択されている機能名を表示部にリアルタイムに表示できる。そして、選択スイッチを操作すれば、選択した機能が実行できると述べられている。特許文献２には、色選択機能について言及されていないが、色選択へ適用することが考えられる。この場合、予め用意された複数の色の何れかを切替えスイッチを回転させることで選択し、その選択した色の名称を表示部に表示し、選択スイッチの操作時に、選択した色を有効とする構成になる。
【特許文献１】特開平４−１７７５１８号公報
【特許文献２】実開平５−４０９３３号公報
【発明の開示】
【発明が解決しようとする課題】
【０００６】
　前述したように色選択機能を持った入力ペンは従来より提案されているが、現在選択している色がどのような色であったかを直感的に把握するのは容易でない。例えば特許文献１では、利用者は直前にどの色を選択したかを覚えておく必要があるため、何らかの用事で席を立って作業を中断した後に作業を再開する際、直前に選択した色を忘れてしまった場合、描画して見なければ確認できない。また、特許文献２に記載された技術を色選択機能に応用した場合、表示部に表示される色の名称でどの色が選択されているかは分かるが、黒、赤、青、緑といったポピュラーな色以外の特殊な色の場合、その色の名称から実際の色を思い浮かべるのは難しい。このような場合、選択した色でペンの一部を発色することができれば、実際にどのような色を選択しているか直感的に認識することができると考えられる。
【０００７】
　本発明はこのような事情に鑑みて提案されたものであり、その目的は、色選択機能を有するペン型ポインティングデバイスなどの装置に適用可能な発色器を提供することにある。
【課題を解決するための手段】
【０００８】
　本発明の第１の発色器は、指定された色の光を出射する発色体と、前記発色体の出射光が側面から入射して伝播し且つ裏面が黒色の半透明体とを備えることを特徴とする。
【０００９】
　本発明の第２の発色器は、第１の発色器において、前記発色体の出射光を前記半透明体の側面に導く光学系を備えることを特徴とする。
【００１０】
　本発明の第３の発色器は、第１の発色器において、前記発色体はそれぞれ異なる単色の光を出射する複数の発光素子を含むことを特徴とする。
【００１１】
　本発明の第４の発色器は、第３の発色器において、一端が前記半透明体の側面に接続された１本または複数本の光ファイバと、前記複数の発光素子の出射光を前記光ファイバの他端に入射する光学レンズとを含む光学系を備えることを特徴とする。
【００１２】
　本発明の第５の発色器は、第３の発色器において、外部から与えられる色情報に基づいて、前記複数の発光素子の光の度合いを制御する発色制御回路を備えることを特徴とする。
【００１３】
　本発明の発色機能付き装置は、第１乃至第５の発色器を備え、前記半透明体の表面の少なくとも一部が装置外面に露出していることを特徴とする。
【発明の効果】
【００１４】
　本発明の発色器及び発色機能付き装置によれば、発色体を発色させることにより半透明体を発色体と同じ色で発色することができ、発色体を消灯させれば、利用者の目には半透明体の裏面の黒色が認知されるため、半透明体を黒色の表示として認識させることができる。
【発明を実施するための最良の形態】
【００１５】
　次に本発明の実施の形態の例について図面を参照して詳細に説明する。
【００１６】
　図１を参照すると、本発明の発色機能付き装置の一実施の形態にかかるペン型ポインティングデバイス（以下、入力ペンとも称す）１は、色選択スイッチ２、色選択器３、発色器４、通信器５、電源６および電源スイッチ７を主要な構成要素として有しており、ペン入力形式の情報端末装置８と組み合わせて使用される。
【００１７】
　電源６は、一次電池または二次電池で構成される。電源スイッチ７は、利用者が手動でオン、オフできるスイッチである。電源スイッチ７をオンにすると、電源６から電源線９を通じて、色選択器３、発色器４および通信器５に動作電力が供給され、各部が動作可能な状態となる。
【００１８】
　色選択スイッチ２は、情報端末装置８に対してペン入力するイメージの表示色を事前に選択するための手動スイッチであり、少なくとも１つのスイッチから構成される。色選択スイッチ２の出力は信号線１０により色選択器３に導かれる。
【００１９】
　色選択器３は、予め複数設定された色の中から、利用者による色選択スイッチ２の操作に応じた色を選択する回路であり、発色器４とは信号線１１により、通信器５とは信号線１２により、それぞれ接続されている。色選択器３は、或る色を選択した場合、選択した色を情報端末装置８に通知すべきことを信号線１２を通じて通信器５へ指示し、また、その色で発色すべきことを発色器４へ信号線１１を通じて指示する。
【００２０】
　発色器４は、色選択器３から指示された色で入力ペンの一部を光らせる部分である。入力ペンのどの部分を発色させるかは任意であり、利用者が認知できる箇所であれば良い。
【００２１】
　通信器５は、色選択器３から指示された色を情報端末装置８に通知する回路である。通信器５と情報端末装置８とはケーブル等で有線接続されていても良く、ワイヤレス接続されていても良い。ワイヤレス接続の場合、通信器５は色データを無線信号や赤外線信号に変換し、情報端末装置８に送信する。有線接続の場合、通信器５はケーブル等を介して色データを情報端末装置８に送信する。有線接続の場合、信号伝送用のケーブルとは別に電力供給用のケーブルを入力ペン１と情報端末装置８との間に引き、電源６の代わりに、電力供給用ケーブルを通じて情報端末装置８から供給される電力を電源線９を通じて各部に供給する構成とすることもできる。この場合、電源スイッチ７は省略して良い。
【００２２】
　このように構成された本実施の形態にかかる入力ペン１を使えば、ペン側で色選択が行え、然も選択した色でペンの一部が光るため、利用者は実際にどのような色であるかを直感的に認識することができる。
【００２３】
　次に、情報端末装置８について説明する。情報端末装置８は、入力ペン１で指示された座標位置を検出する座標位置検出装置、カラー表示装置、および検出された座標位置にカラーイメージを表示する描画プログラムを実行する処理装置を有する。その構成の一例を図２に示す。
【００２４】
　図２を参照すると、情報端末装置８の一例は、端末装置全体の制御を司るＣＰＵ８０１を備え、そのバス８０２にＲＯＭ８０３、ＲＡＭ８０４、ＬＣＤコントローラ８０５、タブレットコントローラ８０６、キーボードコントローラ８０７および通信部８０８が接続されている。ＲＯＭ８０３はＣＰＵ８０１で実行すべき描画プログラム等の各種のプログラムを記憶する。ＲＡＭ８０４はワークエリアとして利用される。キーボードコントローラ８０７は、各種のキーを有するキーボード８１１からのキー操作を検出してＣＰＵ８０１に出力する回路である。ＬＣＤコントローラ８０５は、カラーＬＣＤ８０９を制御し、ＣＰＵ８０１から指定された表示位置に指定された色のイメージを表示する。タブレットコントローラ８０６は、タブレット８１０を制御し、タブレット８１０で検出された入力ペン１の接触位置に対応する座標データをＣＰＵ８０１に出力する。
【００２５】
　通信部８０８は、入力ペン１の通信器５から通知された色データを受信し、ＲＡＭ８０４内の色データ格納域に格納する動作を行う。通信部８０８は、通信器５と有線で接続されている場合、ケーブル等を介して色データを通信部５から受信し、ＲＡＭ８０４の色データ格納域に上書きする。また、ワイヤレス接続の場合、通信器５から受信した無線信号や赤外線信号を復号して得た色データをＲＡＭ８０４の色データ格納域に上書きする。
【００２６】
　この情報端末装置８は、入力ペン１との関係において、概略以下のように動作する。入力ペン１のペン先がタブレット８１０に接触しその表面を移動すると、タブレット８１０は各接触位置に対応する座標データを順次に出力し、この座標データはタブレットコントローラ８０６を通じてＣＰＵ８０１に入力される。ＣＰＵ８０１上で実行される描画プログラムは、各座標データからイメージの表示位置を認識し、またＲＡＭ８０４の色データ格納域に保持されている色データから現在の描画色を認識し、認識した表示位置に認識した色のイメージを表示すべくＬＣＤコントローラ８０５に表示位置データおよび色データを順次に指定する。ＬＣＤコントローラ８０５は、これらの指定に従ってカラーＬＣＤ８０９をコントロールし、ＬＣＤの表示面における指定された位置に指定された色のイメージを表示する。
【００２７】
　タブレット８１０は、カラーＬＣＤ８０９の表示面を覆うようにカラーＬＣＤ８０９と一体化されたものであっても良く、カラーＬＣＤ８０９とは分離して机上に独立して載置されるものであっても良い。また、座標位置検出装置として、本例ではタブレット８１０を使ったがタッチパネル等の他の種類のものであっても良い。同様に、カラー表示装置としてカラーＬＣＤを使ったが、他の種類のものであっても良い。
【実施例】
【００２８】
　次に本発明の発色機能付き装置の実施例にかかるペン型ポインティングデバイスについて図面を参照して詳細に説明する前に、本発明の前提となるペン型ポインティングデバイスの例を幾つか図面を参照して説明する。
【００２９】
　図３を参照すると、第１の前提例にかかる入力ペン１０１は、ペン状の筐体１０２の頭部に発色面１０３を有し、筐体１０２の上部付近に１つの色選択スイッチレバー１０４を有し、その下側に電源スイッチ７を有する。また、情報端末装置８と無線による送信を行うための送信アンテナ１０５が筐体１０２の頭部の周面に設けられている。更に筐体１０２は、例えばネジ込み方式で互いに分離自在な上部筐体１０２−１と下部筐体１０２−２とで構成される。
【００３０】
　ペン状の筐体１０２には、図４に示されるように、表示面が発色面１０３となるカラーＬＣＤ４０１と、そのバックライト４０２と、カラーＬＣＤ４０１と信号線４０４で接続されたＬＣＤコントローラ４０３とが内蔵されている。これらは、発色器４を構成する。カラーＬＣＤ４０１は、例えば、白黒表示のＬＣＤの内面に赤、緑、青の微細なフィルタを付けて各ドットをカラー化したものであり、ＬＣＤコントローラ４０３は３原色のカラードットを独立に制御する。但し、本前提例では、カラーＬＣＤ４０１の全表示ドットを同じ色に発色させるため、カラーＬＣＤ４０１に対する表示位置の指定は不要であり、どの色を発色させるかだけを指定すれば良い。色の指定は、本前提例の場合、それぞれが０か１の値をとる赤情報と緑情報と青情報との組み合わせである色情報で行う。赤情報をＲ、緑情報をＧ、青情報Ｂとすると、例えば赤を指定する色情報（ＲＧＢ）は（１００）、黒を指定する色情報（ＲＧＢ）は（０００）、白を指定する色情報（ＲＧＢ）は（１１１）で表現される。
【００３１】
　また、色選択スイッチレバー１０４は、軸１０４ａを中心に回動自在に軸支されると共にバネ１０４ｂによって付勢される自動復帰式のレバーとされ、このレバーによってオン、オフされるマイクロスイッチ１０４ｃが設けられている。これらは、色選択スイッチ２を構成する。
【００３２】
　更に、マイクロスイッチ１０４ｃと信号線１０により、ＬＣＤコントローラ４０３と信号線１１により接続された色選択器３０１と、色選択器３０１に信号線１２により接続され、送信アンテナ１０５に信号線５０２で接続された無線通信器５０１と、電源スイッチ７および電源線９を通じて各部に電力を供給する電源６とが、筐体１０２に収納されている。電源６は、上部筐体１０２−１と下部筐体１０２−２とを分離することで取り出せ、新しいものと交換ないし充電できる。なお、送信アンテナ１０５、信号線５０２および無線通信器５０１で通信器５が構成される。
【００３３】
　図５を参照すると、色選択器３０１は、信号線１０を通じてマイクロスイッチ１０４ｃに接続されたカウンタ３０２と、カウンタ３０２のカウント値を入力し、そのカウント値に応じた色情報を信号線１１を通じてＬＣＤコントローラ４０３に送出すると共に信号線１２を通じて無線通信器５０１に送出する色情報テーブル３０３とから構成される。カウンタ３０２は、電源投入時にカウント値１に初期化され、その後、マイクロスイッチ１０４ｃが１回オン状態になる毎に、２、３、…と順に１ずつ歩進し、カウント値５の状態でマイクロスイッチ１０４ｃがオンされると、再びカウント値１に戻る巡回式カウンタとなっている。
【００３４】
　図６を参照すると、色情報テーブル３０３は、１から５までの各カウント値毎に色情報を保持している。なお、図６には各色情報に対応する設定色を付記してある。図６の場合、設定色は、カウント値１のとき黒、２のとき赤、３のとき緑、４のとき青、５のとき白になっており、各色情報は、赤情報、緑情報、青情報の組み合わせで指定されている。
【００３５】
　無線通信器５０１は、増幅器、変調器などで構成されており、色選択器３０１から信号線１２を通じて伝達された色情報を無線信号に変換し、送信アンテナ１０５より情報端末装置８に送信する。情報端末装置８側の通信部８０８は、この色情報を受信すると、前述したようにＲＡＭ８０４の色データ格納域に上書きする。描画プログラムは、色データ格納域に保持されている色情報から現在の設定色を認識する。
【００３６】
　次に、本前提例の入力ペン１０１の動作を説明する。利用者が電源スイッチ７をオンすると、色選択器３０１のカウンタ３０２がカウント値１に初期化され、色情報テーブル３０３からＬＣＤコントローラ４０３および無線通信器５０１に色情報（ＲＧＢ）＝（０００）が通知される。ＬＣＤコントローラ４０３はこの色情報に従ってカラーＬＣＤ４０１を制御し、その表示面、つまり入力ペン１の頭部にある発色面１０３の色を黒にする。一方、無線通信器５０１は色情報（ＲＧＢ）＝（０００）を無線信号により情報端末装置８に送信するため、情報端末装置８側における設定色も黒となる。
【００３７】
　その後、利用者が色選択スイッチレバー１０４を１度押し込むことでマイクロスイッチ１０４ｃをオンすると、色選択器３０１のカウンタ３０２がカウントアップしてカウント値２となり、色情報テーブル３０３からＬＣＤコントローラ４０３および無線通信器５０１に色情報（ＲＧＢ）＝（１００）が通知される。ＬＣＤコントローラ４０３はこの色情報に従ってカラーＬＣＤ４０１を制御することで、入力ペン１の頭部にある発色面１０３を赤に発色させる。また、無線通信器５０１は色情報（ＲＧＢ）＝（１００）を無線信号により情報端末装置８に送信し、情報端末装置８側における設定色も赤となる。同様にして利用者が色選択スイッチレバー１０４を操作する毎に、発色面１０３の色が、緑、青、白、黒、赤、…と変化していき、それに応じて情報端末装置８側の設定色も変化する。
【００３８】
　以上の説明では、黒、赤、緑、青、白の５種類の色を設定したが、それぞれ１、０で表現される赤情報、緑情報、青情報による色情報は合計８通りあるので、最大８種類の色を設定することが可能である。また、赤、緑、青それぞれの光る度合いを細かく調整できるカラーＬＣＤを使用すれば、８種類より多い色を設定することが可能である。例えば光る度合いが１６段階で調整可能な場合、色情報（ＲＧＢ）は（０００）から（１６１６１６）まで最大１６×１６×１６種類の色を設定できる。図７に、その内、黒、赤、淡い赤、紫、青、シアン、黄、黄緑、緑、白の１０種類を設定する場合の色情報テーブル３０３の例を示す。ここで、赤情報、緑情報、青情報に対応する数値は、値が大きいほど光る度合いが大きいことを示す。例えば、値１５は光る度合いが一番大きく、値７はその約半分の度合いで光り、値０は全く光らないことを示す。
【００３９】
　前述した前提例では、色選択スイッチレバー１０４を操作する毎に選択色を巡回的に変化させる構成のため、直前の色を選択するには一巡する必要がある。このため、選択可能な色数が増加すると所望の色を選択するのに手間取る。以下では、選択可能な色数が増加した場合であっても所望の色を迅速に選択できるようにした前提例を２つ説明する。
【００４０】
　図８を参照すると、第２の前提例にかかる入力ペン１１０は、ペン状の筐体１０２の上部付近に色選択スイッチレバー１０４と色選択スイッチレバー１１１の２つの色選択スイッチレバーが設けられている点で第１の前提例と相違する。新たに設けた色選択スイッチレバー１１１は、図９に示されるように、色選択スイッチレバー１０４と同様に、軸１１１ａを中心に回動自在に軸支されると共にバネ１１１ｂによって付勢される自動復帰式のレバーとされる。また、このレバーによってオン、オフされるマイクロスイッチ１１１ｃが設けられる。このマイクロスイッチ１１１ｃの出力は信号線１０ａを通じて色選択器３１０に入力される。色選択器３１０は、図１０に示されるように、カウンタ３１１として可逆カウンタが使用され、マイクロスイッチ１０４ｃがオンする毎に１だけカウントアップし、マイクロスイッチ１１１ｃがオンする毎に１だけカウントダウンする。その他の構成は第１の前提例と同様である。
【００４１】
　本前提例によれば、一方の色選択スイッチレバー１０４を操作する毎に、例えば図７の色情報テーブル３０３を使用した構成にあっては、黒→赤→淡い赤→紫→青→シアン→黄→黄緑→緑→白→黒と変化し、他方の色選択スイッチレバー１１１を操作する毎に、前記とは逆方向に、黒→白→緑→黄緑→黄→シアン→青→紫→淡い赤→赤→黒と変化する。これにより、選択可能な色数が増加した場合であっても所望の色を迅速に選択できる。
【００４２】
　図１１を参照すると、第３の前提例にかかる入力ペン１２０は、ペン状の筐体１０２の上部付近にツマミ１２１ａを有するスライドスイッチ１２１が設けられている点で第１の前提例と相違する。スライドスイッチ１２１のツマミ１２１ａは、図１２に示されるように、筐体１０２内に設けられた可変抵抗器１２２のしゅう動接点１２２ａに連結されており、可変抵抗器１２２には電源線９を通じて電源６の電圧が印加され、しゅう動接点１２２ａの位置に応じた電圧が信号線１０を通じて色選択器３２０に供給される。色選択器３２０は、図１３に示されるように、図５のカウンタ３０２の代わりに、信号線１０を通じて印加されるアナログ電圧をデジタル値に変換するＡ／Ｄ変換器３２１を有する。このＡ／Ｄ変換器３２１の出力値がカウント値として色情報テーブル３０３に出力される。その他の構成は第１の前提例と同様である。
【００４３】
　本前提例によれば、スライドスイッチ１２１のツマミ１２１ａを一方向にスライドさせれば、例えば図７の色情報テーブル３０３を使用した構成にあっては、黒→赤→淡い赤→紫→青→シアン→黄→黄緑→緑→白→黒と変化し、他方向にスライドさせれば、前記とは逆方向に、黒→白→緑→黄緑→黄→シアン→青→紫→淡い赤→赤→黒と変化する。これにより、選択可能な色数が増加した場合であっても所望の色を迅速に選択できる。
【００４４】
　本前提例では、スライドスイッチ１２１を使ったが、回転スイッチを使うことも可能である。この場合、可変抵抗器１２２のしゅう動接点１２２ａは回転スイッチの回転に連動するよう構成される。
【００４５】
　以上の各前提例では、入力ペンの頭部に発色面１０３を設けたが、入力ペンの他の箇所を発色させることもできる。例えば、図１４に示すように、ペン状の筐体１０２のペン先部分を多面体に加工し、各面にカラーＬＣＤ１３１を張り付けることで、ペン先部分を発色面とすることができる。また、図１５に示すように、色選択スイッチレバー１０４の片面あるいは両面にカラーＬＣＤ１３２を張り付けることで、色選択スイッチレバー１０４を発色面とすることができる。
【００４６】
　次に本発明の発色機能付き装置の実施例にかかるペン型ポインティングデバイスについて、図１６を参照して説明する。
【００４７】
　図１６を参照すると、本発明の実施例にかかるペン型ポインティングデバイスで使用する発色器４１０は、発色体としての赤ＬＥＤ４１１、緑ＬＥＤ４１２、青ＬＥＤ４１３の３種類のＬＥＤと、信号線１１を通じて色選択器３から伝達される色情報中の赤情報、緑情報、青情報に応じて、赤ＬＥＤ４１１、緑ＬＥＤ４１２、青ＬＥＤ４１３の光の度合いを制御する発色制御回路４１４と、入力ペンの発色面に取り付けられる半透明体４１５と、各ＬＥＤ４１１、４１２、４１３の出射光を半透明体４１５に導く光学系４１６とから構成される。光学系４１６は、一端が半透明体４１５に接続された１本または複数本の光ファイバ４１７と、各ＬＥＤ４１１、４１２、４１３の出射光を光ファイバ４１７の他端に入射する光学レンズ４１８とで構成される。
【００４８】
　発色制御回路４１４は、例えば前述した図６の色情報テーブル３０３を用いる前提例では、色情報が１のとき該当するＬＥＤを点灯させ、色情報が０のとき該当するＬＥＤを消灯させる。例えば、色情報（ＲＧＢ）が（１００）である赤の場合、赤ＬＥＤ４１１のみを点灯させる。そうすると、赤ＬＥＤ４１１から出射した赤色の光だけが光学系４１６を通じて半透明体４１５に伝搬し、半透明体４１５が赤く光る。また、色情報（ＲＧＢ）が（１１１）である白の場合、全てのＬＥＤを点灯させる。そうすると、赤、緑、青の光が光学系４１６および半透明体４１５内部で加色混合され、半透明体４１５が白く光る。勿論、前述した図７の色情報テーブル３０３を用いる前提例に対しても適用可能であり、その場合は色情報の数値に応じて該当するＬＥＤの光の度合いを制御する。例えば、色情報（ＲＧＢ）が（１５、８、８）である淡い赤の場合、赤ＬＥＤ４１１の光の度合いを最大にし、緑ＬＥＤ４１２および青ＬＥＤ４１３はその約半分程度の度合いで光らせる。
【００４９】
　また、赤、緑、青の全てのＬＥＤを消灯させると、半透明体４１５は何色でも光らないため、利用者の目には半透明体４１５の裏にある物体の色が半透明体４１５の色として認知される。従って、半透明体４１５の裏に黒色のフィルム等を張っておけば、黒色の表示が可能である。その場合の半透明体４１５の構成例を図１７に示す。図１７（ａ）は、入力ペンの頭部やスイッチ部を発色面とする場合に好適な構成を示す外観斜視図であり、平板状の半透明体４１５の裏面に黒フィルム４１９を貼付してある。また、図１７（ｂ）は、半透明体４１５の外形をペン先の形状に加工し、内部を空洞にして黒フィルム４１９を貼付した状態を示す断面図である。なお、半透明体４１５の裏面を黒色とするには黒フィルムを貼付する以外に、裏面を黒色でペイントするなど、任意の方法が利用できる。
【図面の簡単な説明】
【００５０】
【図１】本発明の発色機能付き装置の一実施の形態にかかるペン型ポインティングデバイスのブロック図である。
【図２】本発明の発色機能付き装置の実施の形態にかかるペン型ポインティングデバイスと組み合わせて使用される情報端末装置の構成例を示すブロック図である。
【図３】本発明の第１の前提例にかかるペン型ポインティングデバイスの外観斜視図である。
【図４】本発明の第１の前提例にかかるペン型ポインティングデバイスのブロック図である。
【図５】本発明の第１の前提例にかかるペン型ポインティングデバイスで使用する色選択器の構成例を示すブロック図である。
【図６】色情報テーブルの構成例を示す図である。
【図７】色情報テーブルの別の構成例を示す図である。
【図８】本発明の第２の前提例にかかるペン型ポインティングデバイスの外観斜視図である。
【図９】本発明の第２の前提例にかかるペン型ポインティングデバイスのブロック図である。
【図１０】本発明の第２の前提例にかかるペン型ポインティングデバイスで使用する色選択器の構成例を示すブロック図である。
【図１１】本発明の第３の前提例にかかるペン型ポインティングデバイスの外観斜視図である。
【図１２】本発明の第３の前提例にかかるペン型ポインティングデバイスのブロック図である。
【図１３】本発明の第３の前提例にかかるペン型ポインティングデバイスで使用する色選択器の構成例を示すブロック図である。
【図１４】ペン先を発色させる前提例にかかるペン型ポインティングデバイスの要部外観斜視図である。
【図１５】スイッチを発色させる前提例にかかるペン型ポインティングデバイスの要部外観斜視図である。
【図１６】本発明の実施例にかかるペン型ポインティングデバイスにおける発色器の構成例を示すブロック図である。
【図１７】半透明体の具体的な構造例を示す図である。
【符号の説明】
【００５１】
１…ペン型ポインティングデバイス（入力ペン）
２…色選択スイッチ
３…色選択器
４…発色器
５…通信器
６…電源
７…電源スイッチ
８…情報端末装置
９…電源線
１０、１１、１２…信号線
【図１】
2004103042.tif 000003
【図２】
2004103042.tif 000004
【図３】
2004103042.tif 000005
【図４】
2004103042.tif 000006
【図５】
2004103042.tif 000007
【図６】
2004103042.tif 000008
【図７】
2004103042.tif 000009
【図８】
2004103042.tif 000010
【図９】
2004103042.tif 000011
【図１０】
2004103042.tif 000012
【図１１】
2004103042.tif 000013
【図１２】
2004103042.tif 000014
【図１３】
2004103042.tif 000015
【図１４】
2004103042.tif 000016
【図１５】
2004103042.tif 000017
【図１６】
2004103042.tif 000018
【図１７】
2004103042.tif 000019